(57)【特許請求の範囲】
【請求項１】
表面に凹凸高さが５μｍ以上７００μｍ以下である凹凸模様が形成された基材の当該表面が可視光線透過性を有する厚さが０．８ｍｍ以上８ｍｍ以下の表層で覆われてなる樹脂成形品の成形方法であって、
上記基材の上記凹凸模様が形成された表面側に上記表層を成形するためのキャビティを金型によって形成する工程と、
上記キャビティに樹脂材料を射出することによって上記表層を成形する工程とを備え、
上記キャビティのゲートの一部を、上記基材と同じ樹脂材料によって一体に成形され上記表層を形成する樹脂材料の射出方向に延びて上記キャビティの上記基材に続く樹脂製ゲート部で形成し、上記樹脂材料を上記樹脂製ゲート部の表面上から上記基材の表面上に流入させることを特徴とする樹脂成形品の成形方法。
【請求項２】
請求項１において、
上記基材の表面と上記樹脂製ゲート部の表面が面一になっていることを特徴とする樹脂成形品の成形方法。
【請求項３】
請求項１又は請求項２において、
上記ゲートの幅（ｍｍ単位）をＷ、該ゲートの厚さ（ｍｍ単位）をＴ１、上記表層の厚さ（ｍｍ単位）をＴ２、上記樹脂製ゲート部の長さ（ｍｍ単位）Ｌとしたとき、指標値Ｋ＝Ｗ×Ｔ１×Ｔ２×Ｌを３７５以上とすることを特徴とする樹脂成形品の成形方法。
【請求項４】
請求項１乃至請求項３のいずれか一において、
上記基材の凹凸模様の凹凸高さが１０μｍ以上３５０μｍ以下であることを特徴とする樹脂成形品の成形方法。
【請求項５】
請求項１乃至請求項４のいずれか一において、
上記基材が光輝材及び／又は無機顔料を含有することを特徴とする樹脂成形品の成形方法。
【請求項６】
表面に凹凸高さが５μｍ以上７００μｍ以下である凹凸模様が形成された基材の当該表面が可視光線透過性を有する厚さが０．８ｍｍ以上８ｍｍ以下の表層で覆われてなる樹脂成形品の成形に用いる一次成形品であって、
上記表層を射出成形するキャビティを形成すべく金型内に挿入される上記基材と、
上記基材と同じ樹脂材料によって一体に成形され上記キャビティのゲートの一部を形成する樹脂製ゲート部とを備えなり、
上記表層を成形する樹脂材料を上記樹脂製ゲート部の表面上から上記基材の表面上に流入させることを特徴とする樹脂成形品の成形に用いる一次成形品。
【請求項７】
請求項６において、
上記基材の表面と上記樹脂製ゲート部の表面が面一になっていることを特徴とする樹脂成形品の成形に用いる一次成形品。
【請求項８】
請求項６又は請求項７において、
上記基材の凹凸模様の凹凸高さが１０μｍ以上３５０μｍ以下であることを特徴とする樹脂成形品の成形に用いる一次成形品。
【請求項９】
請求項６乃至請求項８のいずれか一において、
上記基材が光輝材及び／又は無機顔料を含有することを特徴とする樹脂成形品の成形に用いる一次成形品。
【請求項１０】
請求項９において、
上記基材が上記光輝材としてアルミフレークを含有することを特徴とする樹脂成形品の成形に用いる一次成形品。
【発明の詳細な説明】
【技術分野】
【０００１】
本発明は、基材の凹凸模様が形成された表面が可視光線透過性を有する表層で覆われてなる樹脂成形品の成形方法及び当該成形に用いる一次成形品に関する。
【背景技術】
【０００２】
自動車の内装材や外装材、家庭用品、事務用品など様々な製品が合成樹脂によって成形されているが、近年はこのような樹脂成形品に対する加飾の要求が高くなっている。その加飾技術に関し、特許文献１は、透明又は不透明の第一合成樹脂フィルムの上面に光輝性のあるシボが形成され、このシボの上に１層又は複数層からなる透明の第二合成樹脂フィルムが積層されてなる加飾フィルムを開示する。
【０００３】
また、特許文献１には、第一合成樹脂フィルムに、フレーク状や粉状の光輝材を練り込んだ合成樹脂を使用すること、第二合成樹脂フィルムを第一合成樹脂フィルムに積層するときの加熱によってシボが潰れないように、両フィルムを形成する合成樹脂のメルトフローレイトの差を０．５〜５０ｇ／分にすること、両合成樹脂フィルムには着色してもよいこと、さらに、シボが光輝性を有するので、光を良く反射し、見る方向によって光の反射が異なり、また陰の出方が異なるので、立体感があり高級感が得られることが記載されている。
【先行技術文献】
【特許文献】
【０００４】
【特許文献１】特開２００５−１４３７４号公報
【発明の概要】
【発明が解決しようとする課題】
【０００５】
ところで、基材の凹凸模様が形成された表面に可視光透過性を有する表層を積層してなる樹脂成形品を得るにあたり、その表層の成形に射出成形を採用すると、基材表面の凹凸模様が射出された樹脂材料によって崩れるという問題がある。すなわち、例えば、表層成形用のキャビティに基材をインサートした状態で表層成形用の樹脂材料を射出すると、そのキャビティ内を基材の表面に沿って流動する樹脂材料のせん断発熱やその流動に伴って凹凸模様に加わるせん断力によって、凹凸模様の凹凸が潰れたように変形するという、言うならば、基材表面の溶損問題である。特に、キャビティのゲート近傍では、射出が終了するまで基材の凹凸模様にせん断発熱及びせん断力が加わり続けるため、凹凸模様が崩れ易い。
【０００６】
本発明の課題は、キャビティに射出された表層用の樹脂材料によって基材表面の凹凸模様が崩れるという問題を解決することにある。
【課題を解決するための手段】
【０００７】
本発明者は、種々の実験・研究により、キャビティのゲート近傍において基材表面の凹凸模様が崩れ易い原因の一つは、樹脂材料の流動抵抗がゲートからキャビティに流入したときに変化することにあることを突き止めた。
【０００８】
すなわち、ランナーやゲートは金属で形成されているが、金型内に設けられている基材は樹脂で成形されている。従って、樹脂材料がゲートからキャビティに流入すると、その樹脂材料の接触する面が金属から樹脂に変わる。樹脂材料の流れる面が金属で形成されているときは、その金属の表面温度が溶融している樹脂材料の熱によって高くなるから、樹脂材料が流れ易い。これに対して、樹脂材料の流れる面が樹脂で形成されているときは、溶融している樹脂材料の熱によって、当該樹脂の表面が軟化するから、樹脂材料の流動抵抗が金属面上を流れる場合に比べて高くなる。このように、樹脂材料が流れている面の材質が途中から変わってその流動抵抗が変化すると、樹脂材料の流動に乱れを生ずる。キャビティのゲート近傍は、樹脂材料が金属製ゲートから樹脂製基材の表面に流れ込んだ部分であるため、樹脂材料の流動に乱れを生じ易く、そのために、基材の凹凸模様が崩れ易いということである。
【０００９】
そこで、本発明は、上記課題を解決するために、上記キャビティのゲートに樹脂製のゲート部を設けるようにした。
【００１０】
ここに開示する樹脂成形品の成形方法は、表面に凹凸高さが５μｍ以上７００μｍ以下である凹凸模様が形成された基材の当該表面が可視光線透過性を有する厚さが０．８ｍｍ以上８ｍｍ以下の表層で覆われてなる樹脂成形品を成形する方法であって、
上記基材の上記凹凸模様が形成された表面側に上記表層を成形するためのキャビティを金型によって形成する工程と、
上記キャビティに樹脂材料を射出することによって上記表層を成形する工程とを備え、
上記キャビティのゲートの一部を、上記基材と同じ樹脂材料によって一体に成形され上記表層を形成する樹脂材料の射出方向に延びて上記キャビティの上記基材に続く樹脂製ゲート部で形成し、上記樹脂材料を上記樹脂製ゲート部の表面上から上記基材の表面上に流入させることを特徴とする。
【００１１】
この成形方法によれば、表層を成形する樹脂材料は、樹脂製ゲート部の表面を通って樹脂製の基材表面に流れていくから、樹脂材料がゲートからキャビティに流入したときの樹脂材料の流動の乱れが小さくなる。
【００１２】
つまり、樹脂材料が金型のランナー等から樹脂製ゲート部の表面に移ったときは、樹脂材料の流路面の材質の変化によって樹脂材料の流動に乱れを生ずるが、樹脂製ゲート部の表面を流れていくに従って乱れは収まっていく。そうして、樹脂材料が樹脂製ゲート部の表面から基材の表面に移行するときは、基材が樹脂製ゲートと同じ樹脂材料で形成されているから、流動抵抗が大きく変化することがない。
【００１３】
従って、樹脂材料はその流動の乱れが少ない状態で基材の表面上を流れていくことになり、キャビティのゲート近傍において基材表面の凹凸模様が崩れることが避けられる。よって、得られる樹脂成形品は、表層を通して基材表面の凹凸模様が強い陰影感及び奥行き感（立体感）をもって明りょうに現れ、その意匠性の向上に有利になる。また、基材と樹脂製ゲート部は同じ樹脂材料によって一体に形成されているから、基材及び樹脂製ゲート部を金型にセッティングすることが容易になる。
【００１４】
ここに、上記表層の厚さが０．８ｍｍよりも小さくなると、表層の形成が難しくなり、８ｍｍよりも大きくなると、表面の平滑性の確保が難しくなる。
【００１５】
また、上記凹凸模様の凹凸高さが５μｍよりも小さくなると、凹凸模様の視認性が悪くなり、７００μｍを超えて大きくなると、細かい模様の形成に不利になる。好ましいのは、凹凸高さを１０μｍ以上３５０μｍ以下にすることである。
【００１６】
上記成形方法の好ましい実施形態では、上記基材の表面と上記樹脂製ゲート部の表面が面一になっている。これにより、樹脂材料の流動の乱れ防止にさらに有利になる。
【００１８】
上記成形方法の好ましい実施形態では、上記ゲートの幅（ｍｍ単位）をＷ、該ゲートの厚さ（ｍｍ単位）をＴ１、上記表層の厚さ（ｍｍ単位）をＴ２、上記樹脂製ゲート部の長さ（ｍｍ単位）Ｌとしたとき、指標値Ｋ＝Ｗ×Ｔ１×Ｔ２×Ｌを３７５以上とする。ここにＫは表層を射出成形したときの基材表面の凹凸模様の崩れ防止に関する指標値である。
【００１９】
本発明者の実験によれば、ゲートの幅Ｗ、ゲートの厚さＴ１、表層の厚さＴ２又は樹脂製ゲート部の長さＬが変わると、基材表面の凹凸模様の変形の程度が異なるという結果が得られている。ゲートが幅広になってゲート断面積が大きくなるほど、また、表層の厚さが大きくなるほど、基材の表面に沿って流動する樹脂材料の流速が小さくなるためである。すなわち、樹脂材料から基材の凹凸模様に加わるせん断発熱及びせん断力が小さくなるためである。また、樹脂製ゲート部が長くなるほど、樹脂材料が金型のランナー等から樹脂製ゲート部の表面に移ったときの流動の乱れは収まっていく。
【００２０】
そうして、上記ゲートの幅Ｗ、ゲートの厚さＴ１、表層の厚さＴ２及び樹脂製ゲート部の長さＬよりなる指標値Ｋが３７５以上であるとき、表層の射出成形に伴う基材表面の凹凸模様の崩れが少ない。より好ましいのは指標値Ｋが４５０以上であることであり、指標値Ｋが５２５以上であることがさらに好ましい。
【００２１】
上記ゲートの幅Ｗが５ｍｍ以上であり、上記ゲートの厚さＴ１が０．５ｍｍ以上であることが好ましい。さらに、好ましいのは、上記ゲートの幅Ｗが１５ｍｍ以上であり、上記ゲートの厚さＴ１が１．０ｍｍ以上であることである。さらに好ましいのは、上記ゲート幅Ｗが２０ｍｍ以上であり、上記ゲートの厚さＴ１が１．２ｍｍ以上であることである。
【００２２】
上記基材及び表層には種々の樹脂材料を採用することができるが、基材用樹脂材料としては、ＰＣ（ポリカーボネート）、ＡＢＳ樹脂、ＰＣ−ＡＢＳ（ＰＣとＡＢＳ樹脂のポリマーアロイ）等を好適に採用することができ、表層用樹脂としては、ＰＣ、ＰＭＭＡ（ポリメタクリル酸メチル樹脂）等を好適に採用することができる。
【００２３】
上記基材は光輝材及び／又は無機顔料を含有するものであることが好ましい。これにより、基材のメルトフローレートが該基材を構成するマトリックス樹脂自体のメルトフローレートよりも低くなる。よって、表層を射出成形したときに、流動する樹脂材料によって基材の凹凸模様が崩れることを避ける上で有利になる。このことは、表層用の樹脂材料として、必ずしも、基材のマトリックス樹脂よりも融点が低い樹脂材料を採用することを要しないことを意味する。従って、樹脂材料の選択幅が広がる。
【００２４】
上記光輝材としては、例えばアルミフレークを採用することができ、上記無機顔料としては、チタン、カーボン、酸化鉄等を採用することができる。
【００２５】
また、ここに開示する樹脂成形品の成形に用いる一次成形品は、表面に凹凸高さが５μｍ以上７００μｍ以下である凹凸模様が形成された基材の当該表面が可視光線透過性を有する厚さが０．８ｍｍ以上８ｍｍ以下の表層で覆われてなる樹脂成形品の成形に用いられるものである。
【００２６】
この一次成形品は、上記表層を射出成形するキャビティを形成すべく金型内に挿入される上記基材と、上記基材と同じ樹脂材料によって一体に成形され上記キャビティのゲートの一部を形成する樹脂製ゲート部とを備えなり、上記表層を成形する樹脂材料を上記樹脂製ゲート部の表面上から上記基材の表面上に流入させることを特徴とする。
【００２７】
この一次成形品によれば、これを表層成形用金型にインサートすることにより、上記樹脂成形品の成形方法を実施することができる。
【００２８】
上記一次成形品の好ましい実施形態では、上記基材の表面と上記樹脂製ゲート部の表面が面一になっている。
【００３０】
上記一次成形品の好ましい実施形態では、上記基材の凹凸模様の凹凸高さが１０μｍ以上３５０μｍ以下である。
【００３１】
上記一次成形品の好ましい実施形態では、上記基材が光輝材及び／又は無機顔料を含有する。
【００３２】
上記一次成形品の好ましい実施形態では、上記基材が上記光輝材としてアルミフレークを含有する。
【発明の効果】
【００３３】
本発明によれば、基材の凹凸模様が形成された表面が可視光線透過性を有する表層で覆われてなる樹脂成形品を成形するにあたり、基材の表面側に表層を成形するためのキャビティを設け、該キャビティのゲートの一部を基材と同じ樹脂材料によって一体に成形され表層を形成する樹脂材料の射出方向に延びて上記基材に続く樹脂製ゲート部によって形成し、樹脂材料を樹脂製ゲート部の表面上から上記基材の表面上に流入させるようにしたから、樹脂材料はその流動の乱れが少ない状態で基材の表面上を流れていくことになり、キャビティのゲート近傍において基材表面の凹凸模様が崩れることが避けられる。よって、得られる樹脂成形品は、表層を通して基材表面の凹凸模様が強い陰影感及び奥行き感（立体感）をもって明りょうに現れ、その意匠性の向上に有利になる。
【図面の簡単な説明】
【００３４】
【図１】樹脂成形品を一部断面にして示す斜視図。
【図２】樹脂成形品の成形装置の一例を模式的に示す一部断面にした側面図。
【図３】金型から離型した樹脂成形品の一部を示す斜視図。
【図４】金型の断面図。
【図５】図４のＶ−Ｖ線断面図。
【図６】一次成形品の斜視図。
【図７】一次成形品を成形する金型の断面図。
【図８】一次成形品を用いて樹脂成形品を成形する金型の断面図。
【発明を実施するための形態】
【００３５】
以下、本発明を実施するための形態を図面に基づいて説明する。以下の好ましい実施形態の説明は、本質的に例示に過ぎず、本発明、その適用物或いはその用途を制限することを意図するものではない。
【００３６】
＜樹脂成形品の一例＞
図１に示す樹脂成形品１において、２は基材、３は基材２の表面を覆う表層である。基材２の表面に凹凸模様４が形成されている。表層３は可視光線透過性を有する樹脂材料で形成されているため、表層３を通して基材２の表面の凹凸模様４を視認することができる。基材２は光輝材及び／又は無機顔料を含有する樹脂材料によって形成され、表層３は着色材を含有する又は着色材を含有しない樹脂材料によって形成されている。基材２の凹凸模様４の凹凸高さは５μｍ以上７００μｍ以下であり、表層３の厚さは０．８ｍｍ以上８ｍｍ以下である。
【００３７】
＜樹脂成形品の成形装置＞
図２に樹脂成形品１の成形装置５の一例を模式的に示す。この成形装置５は、二色成形法で樹脂成形品１を成形するものである。
【００３８】
成形装置５において、６は基材２の凹凸模様を成形する成形面６ａを備えた一次キャビティ型、７は表層３の表面を成形する成形面７ａを備えた二次キャビティ型、８は両キャビティ型６，７に共通のコア型である。一次キャビティ型６のキャビティ面６ａは基材表面に凹凸模様を成形すべくシボ加工されている。
【００３９】
両キャビティ型６，７は、コア型８を挟んで相対するようにベース９上に配置され、互いに離反する方向（型開き方向）に可動になっている。コア型８は、垂直軸まわりに回転するロータリー１１に支持され、その互いに逆向きになった両面に基材２の裏面側を成形する成形面８ａを備えている。
【００４０】
一次キャビティ型６とコア型８によって基材成形用キャビティ１２が形成される。本例の基材成形用キャビティ１２は、枠付きの基材を成形することができるように、周縁部に枠成形部を有する。二次キャビティ型７とコア型８によって、基材２を収容し、該基材２の凹凸模様が形成された表面側に表層３を射出成形するためのキャビティ１３を形成する金型１４が構成される。図２において、１５は基材成形用キャビティ１２に通ずるランナー、１６は同キャビティ１２のゲートである。また、１７は表層成形用キャビティ１３に通ずるランナー、１８は同キャビティ１３のゲートである。
【００４１】
一次キャビティ型６の背部には基材成形用の第１樹脂材料２１を射出するための第１射出ユニット２２が配置されている。二次キャビティ型７の背部には表層成形用の第２樹脂材料２３を射出するための第２射出ユニット２４が配置されている。両射出ユニット２２，２４各々は、キャビティ型６，７に対して進退可能になっている。
【００４２】
図３乃至図５に模式的に示すように、表層成形用キャビティ１３のゲート１８はフィルムゲートである。図３において、１９は基材成形用キャビティ１２のゲート１６で成形された樹脂製ゲート部、２０は表層形成用キャビティ１３のゲート１８で成形されたゲート部である。図４に示すように、表層形成用キャビティ１３のゲート１８の一部は、基材２と一体に成形された樹脂製ゲート部１９によって形成されている。すなわち、この樹脂製ゲート部１９は第２樹脂材料２３の射出方向に延びて表層形成用キャビティ１３の基材２に続いている。基材２の表面と樹脂製ゲート部１９の表面は面一になっている。
【００４３】
ゲート１８の幅Ｗは５ｍｍ以上であり、該ゲート１８の厚さＴ１は０．５ｍｍ以上である。表層３の厚さＴ２は０．８ｍｍ以上８ｍｍ以下である。樹脂製ゲート部１９の長さＬは５ｍｍ以上である。
【００４４】
ゲート１８の幅Ｗ、ゲート１８の厚さＴ１、表層３の厚さＴ２及び樹脂製ゲート部１９の長さＬ各々をｍｍ単位で表したとき、凹凸模様の崩れ防止に関する指標値Ｋ＝Ｗ×Ｔ１×Ｔ２×Ｌは３７５以上である。
【００４５】
＜樹脂成形品の成形方法＞
上記成形装置５を用いた樹脂成形品１の成形方法を説明する。キャビティ型６，７及びコア型８を型締めし、第１射出ユニット２２を前進させ、溶融した第１樹脂材料２１を基材成形用キャビティ１２に射出する。これにより、表面に凹凸模様を有する基材２が形成される。
【００４６】
型開き後に、ロータリー１１によって、コア型８を、成形された基材２と共に１８０度反転させ、型締めする。これにより、当該基材２の表面と二次キャビティ型７の間に表層成形用キャビティ１３が形成される。また、基材２と一体に形成された樹脂製ゲート部１９がキャビティ１３のゲート１８の一部を形成した状態になる。
【００４７】
第２射出ユニット２４を前進させ、溶融した第２樹脂材料２３を表層成形用キャビティ１３に射出する。これにより、基材２の表面を覆う表層３が形成され、基材２と表層３の界面に凹凸模様を有する樹脂成形品１が得られる。
【００４８】
上記表層３の射出成形において、第２樹脂材料２３が金属製のランナー１７を通ってゲート１８の樹脂製ゲート部１９に至ったときは、流路面の一部の材質が金属から樹脂へ変化することが一因となって、第２樹脂材料２３の流動に乱れを生ずる。しかし、その流動の乱れは第２樹脂材料２３が樹脂製ゲート部１９を流れていくに従って収まっていく。
【００４９】
そして、第２樹脂材料２３がゲート１８からキャビティ１３に流入するとき、ゲート１８の樹脂製ゲート部１９とキャビティ１３の基材２は材質が同じく樹脂であるから、材質の変化に起因する新たな流動の乱れを生ずることがない。すなわち、第２樹脂材料２３は、流動の乱れが収まった状態で、樹脂製ゲート部１９の表面上から基材２の表面上に流入する。よって、第２樹脂材料２３の流動の乱れによって基材２の表面の凹凸模様が崩れることが避けられ、得られる樹脂成形品は、表層を通して基材表面の凹凸模様が強い陰影感及び奥行き感（立体感）をもって明りょうに現れ、その意匠性の向上に有利になる。
【００５０】
第２樹脂材料の溶融温度ｔ２は第１樹脂材料の溶融温度ｔ１よりも低いこと（例えば、温度差（ｔ１−ｔ２）が０℃以上５０℃以下であること）が好ましい。基材２及び表層３の射出成形は、例えば、各々のマトリックス樹脂としてＰＣを用いる場合、例えば、型温度を８０℃程度、射出ユニット２２，２４のシリンダ温度を２５０℃程度とすればよい。
【００５１】
＜樹脂成形品の製造例＞
表１に示すように、フィルムゲート１８の幅Ｗ、厚さＴ１、及び／又は樹脂製ゲート部１９の長さＬを変えて、厚さＴ２の表層を基材表面に成形した。基材及び表層のマトリックス樹脂はいずれもＰＣである。基材表面の凹凸模様は凹凸高さが５５μｍの木目調とした。射出成形において、型温度は８０℃、射出ユニット２２，２４のシリンダ温度は２５０℃とした。そうして、得られた樹脂成形品の凹凸模様の崩れ状態を目視で評価した。
【００５２】
表１の評価欄において、「◎」は凹凸模様の陰影感及び奥行き感（立体感）が強く、凹凸模様の崩れが認められない（品質最良）を、「○」は凹凸模様に陰影感及び奥行き感があり、凹凸模様の崩れが殆ど認められない（品質良好）を、「△」はゲート近傍において凹凸模様が少し流され、その崩れが認められる（低品質）を、「×」はゲート近傍から比較的広い範囲にわたって凹凸模様の崩れが認められる（不良）を、それぞれ意味する。
【００５３】
【表１】
0006341185.tif 000002
【００５４】
表１によれば、製造例１−３の比較により、樹脂製ゲート部を設けると基材の凹凸模様の崩れを抑制できることがわかる。また、凹凸模様の崩れ防止に関する指標値Ｋが３７５以上であるケース（製造例２〜４）では、凹凸模様に陰影感及び奥行き感があり、得られる樹脂成形品の品質に大きな問題はなかった。特に指標値Ｋが４５０の製造例３及び指標値Ｋが５４０の製造例４は高い品質であった。
【００５５】
＜樹脂成形品の成形に用いる一次成形品＞
図６は図１に示す樹脂成形品１の成形に用いる一次成形品３１を示す。この一次成形品３１は、表面に凹凸模様４を有する基材２と、この基材２に一体に連なった樹脂製ゲート部１９とを備えてなる。基材２の周縁部には、基材２の表面側に堤状に突き出た突起２ａが設けられている。
【００５６】
基材２と樹脂製ゲート部１９は同じ樹脂材料によって一体に成形されており、基材２の表面と樹脂製ゲート部１９の表面は面一になっている。凹凸模様４の凹凸高さは５μｍ以上７００μｍ以下、好ましくは、１０μｍ以上３５０μｍ以下である。基材２は光輝材及び／又は無機顔料を含有し、好ましくは光輝材としてアルミフレークを含有する。突起２ａは図１に示す表層３の厚さ（０．８ｍｍ以上８ｍｍ以下）に匹敵する高さに形成されている。
【００５７】
一次成形品３１は、図７に一例を示す金型３２を用いて射出成形によって形成することができる。図７において、３３は固定型、３４は可動型であり、固定型３３と可動型３４によって、基材２を成形するキャビティ１２、ランナー１５及びゲート１６が形成されている。ゲート１６によって上記樹脂製ゲート部１９が成形される。
【００５８】
図８に示すように、一次成形品３１は、樹脂成形品成形用の金型１４内に挿入される。図８において、４１は固定型、４２は可動型である。一次成形品３１は固定型４１にインサートされ、基材２と可動型４２によって表層成形用のキャビティ１３が形成され、樹脂製ゲート部１９と可動型４３によってゲート１８が形成される。
【００５９】
表層成形用の樹脂材料を金型１４に射出すると、樹脂材料が固定型４１と可動型４２によって形成されたランナー１７から樹脂製ゲート部１９を有するゲート１８に流入したとき、流路面の一部の材質が金属から樹脂へ変化することが一因となって、該樹脂材料の流動に乱れを生ずる。その流動の乱れは樹脂材料が樹脂製ゲート部１９を流れていくに従って収まっていく。
【００６０】
樹脂材料がゲート１８からキャビティ１３に流入するとき、ゲート１８の樹脂製ゲート部１９とキャビティ１３の基材２は材質が同じく樹脂であるから、材質の変化に起因する新たな流動の乱れを生ずることがない。従って、樹脂材料は、流動の乱れが収まった状態で、樹脂製ゲート部１９の表面上から基材２の表面上に流入する。よって、樹脂材料の流動の乱れによって基材２の表面の凹凸模様４が崩れることが避けられる。その結果、得られる樹脂成形品は、可視光線透過性を有する表層を通して基材表面の凹凸模様が強い陰影感及び奥行き感（立体感）をもって明りょうに現れる。
【００６１】
なお、図６〜８に示す実施形態は樹脂成形品を一個取りする例であるが、図２に示す２個取りのように多数個取りにすることもできる。
【符号の説明】
【００６２】
１    樹脂成形品
２    基材
３    表層
４    凹凸模様
５    成形装置
６    一次キャビティ型
７    二次キャビティ型
８    コア型
１３    表層形成用キャビティ
１４    金型
１８    ゲート
１９    樹脂製ゲート部
３１    一次成形品
【図１】
0006341185.tif 000003
【図２】
0006341185.tif 000004
【図３】
0006341185.tif 000005
【図４】
0006341185.tif 000006
【図５】
0006341185.tif 000007
【図６】
0006341185.tif 000008
【図７】
0006341185.tif 000009
【図８】
0006341185.tif 000010